(57)【要約】【課題】  回転棚を支持する台を無くして、宙吊り状態において回転棚を設けた納骨堂における回転棚装置を提供する。【解決手段】  納骨室における天井に吊りボルトを垂設し、吊りボルトの下端に回転棚が支持されるベースとなる支承基板を水平に固着し、支承基板の上に、回転棚が止着される回転基板を吊りボルトを中心に回転可能に設け、支承基板に回転基板の回転を止める固定手段を設けた。【効果】  主に回転棚に骨壺を載せ、多いときには古い骨壺を床面に置くことによって使用しうるが、回転棚の回転により骨壺の整理が容易になしうることはもちろん、床面の上にこの発明の回転棚装置が載っていないので、その上を広く使用できる。また、床面に遺骨を地面に返すための穴が設けられている場合に蓋の取り外しも容易となる。また、通常は固定手段により回転棚の回転を止めてロックした安定した状態に保持できる。【選択図】    図１
2006257702.tif 000002
【特許請求の範囲】
【請求項１】
納骨室における天井に吊りボルトを垂設し、吊りボルトの下端に回転棚が支持されるベースとなる支承基板を水平に固着し、支承基板の上に、回転棚が止着される回転基板を吊りボルトを中心に回転可能に設け、支承基板に回転基板の回転を止める固定手段を設けたことを特徴とする納骨堂における回転棚装置。
【請求項２】
固定手段の解除により回転可能となった回転基板を幾つかの位相において回転が抑制されるように停止機構が装備され、これについては、支承基板に回転基板の裏面に圧接するよう突起をばねにより付勢して設け、回転基板の裏面には、突起が走査する位置に沿って等間隔おきに、突起が付勢力で落ち込み回転力の付与で脱出する浅穴を穿設したことを特徴とする請求項１記載の納骨堂における回転棚装置。
【発明の詳細な説明】
【技術分野】
【０００１】
この発明は、納骨室を有する主として石積墓標としての墓に実施する納骨堂における回転棚装置に関する。
【背景技術】
【０００２】
納骨堂とは納骨室を有するもので、石積墓標としての墓は、根太石、唐戸石、笠石、上台石、棹石等を順次積み重ねて組み立てられ下半部が納骨堂となっている。これには唐戸石が中をくり抜かれて納骨室となっており、その前面に納骨口が設けられ、そこに納骨扉が嵌められているので、納骨の際にはその扉を開いて、納骨口から手を差し入れながら納骨室に骨壺が納められる。骨壺は、古くから一般的に納骨室の地面に置かていた。しかし、最近では、遺骨を湿気から護るためや、礼拝位置とするために、納骨棚を置いてその上に載せて納骨することが多くなっている。
【０００３】
従来、納骨堂における納骨棚は、普通にはそれぞれ石材からなる左右側板の上端に棚板を置いて連結し脚立状に組み立てたもので、棚板の上に比較的身近な人の骨壺を置き、骨壺が多くてそれでは面積に不足するときには、地面に遠い人の骨壺を置いていた。なお、納骨室の下は根太石が同じ面積でくり抜かれて前記した地面の場合が多かったが、最近では、根太石と一体の石面にすることが好まれる傾向にある。
【０００４】
骨壺を納骨室の地面に置くにせよ、棚に置くにせよ、多数の骨壺が乱立していると、新たに骨壺を入れるときに余りのスペースを探すのに苦労し、奥にそのスペースがあっても分からない場合があり、分かっても奥のスペースに手前の骨壺を移しかえる作業が容易ではなかったので、この出願人において、奥のスペースを手前に持ってこれるように、回転棚を開発し既に出願をした（特開２００４−１４３８４０）。
【発明の開示】
【発明が解決しようとする課題】
【０００５】
しかしながら、その回転棚によれば、図６に示すように、台５０の中央にスラストベアリング５４を設置し、それを介して台５０の上に回転棚５２を支持したもので、台５０が両側に脚としての側板５６，５６を有したものであったから、納骨室の下が土または砂の地面であると、台５０が不安定となりやすく、また、地面、コンリート床のいずれであっても、そこに骨壺を置くスペースが側板５６，５６によって妨げられるという問題があった。また、コンクリートの床面では、古くなった遺骨を地面６０に返すために、床面（根太石５８）に穴５９を設けられるが、その蓋６１を取ったり、遺骨を穴５９に入れたりするのにも不都合であった。
【０００６】
この発明は、上記のような実情に鑑みて、回転棚を支持する台を無くして、宙吊り状態において回転棚を設けた納骨堂における回転棚装置を提供することを課題とした。
【課題を解決するための手段】
【０００７】
上記の課題を解決するために、この発明は、納骨室における天井に吊りボルトを垂設し、吊りボルトの下端に回転棚が支持されるベースとなる支承基板を水平に固着し、支承基板の上に、回転棚が止着される回転基板を吊りボルトを中心に回転可能に設け、支承基板に回転基板の回転を止める固定手段を設けたことを特徴とする納骨堂における回転棚装置を構成した。
【０００８】
上記の構成によれば、天井から垂下する吊りボルトの下端に支承基板、回転基板を介して回転棚が回転可能に設けられるので、宙吊り状態であって、床面の真上が障害のない空間となる。
【発明の効果】
【０００９】
以上説明したように、この発明によれば、主に回転棚に骨壺を載せ、多いときには古い骨壺を床面に置くことによって使用しうるが、回転棚の回転により骨壺の整理が容易になしうることはもちろん、床面の上にこの発明の回転棚装置が載っていないので、その上を広く使用できる。また、床面に遺骨を地面に返すための穴が設けられている場合に蓋の取り外しも容易となる。また、通常は固定手段により回転棚の回転を止めてロックした安定した状態に保持できるという優れた効果がある。
【発明を実施するための最良の形態】
【００１０】
次に、この発明の実施形態を図面に基づいて説明する。
【００１１】
図１ないし図５は、この発明に係る一実施形態を示したもので、その石積墓標としての墓Ｇの納骨堂１において、その中の納骨室２に回転棚装置Ｔが吊り下げて宙吊りに装備される。
【００１２】
墓Ｇは、所謂五輪塔墓であって、下から根太石３，唐戸石４，笠石５が積まれて納骨堂１が構成され、その上に五輪塔が載せられている。そして、唐戸石４が前面開放のコ字形であって、それを根太石３と笠石５とが挟むことにより納骨室２が構成される。また、唐戸石４の前面の開放による納骨口に観音開きの納骨扉７，７を設けてあるので、納骨扉７，７を開いて回転棚装置Ｔの回転棚８に骨壺９が納められる。なお、回転棚８は、円形テーブル状のものを使用したが、手を掛けやすく六角形や八角形のように多角形に形成しても良い。
【００１３】
回転棚装置Ｔは、笠石５から吊りボルト１１を垂設し、その下端に支承基板１３を取り付け、その上に回転基板１５が多数のベアリングボール１７，１７，・・を介して回転可能に設置される。その回転基板１５の上に回転棚８が受けられ、吊りボルト１１を中心に回転基板１５と共に回転棚８が回転するようになっている。また、回転を抑制する停止機構１６が具備されている。
【００１４】
吊りボルト１１は、棒状の上端に細く雄ねじ１９が形成され、それが螺入する雌ねじを有する筒体２１が連結されるもので、下端には雌ねじ２３が形成され、それに支承基板１３の締めボルト２５が螺入されるようになっている。筒体２１は、笠石５に穿設した縦穴２７に差し込んで固定するもので、接着剤で固定しても良いが、図示の場合であると、上端部に複数の割り溝２９，２９，・・が形成され、上から楔３１を打ち込んで開拡することにより縦穴２７に圧接固定される。そこで、笠石５にこのように固定された筒体２１に下から吊りボルト１１を螺入することにより、それが納骨室２の中央に吊り下げられる。
【００１５】
吊りボルト１１の下端に取り付けられる支承基板１３は、その吊りボルト１１よりも小径において、締めボルト２５の通し穴３３が中央に穿設される。そこで、吊りボルト１１の下端の雌ねじ２３に締めボルト２５を螺入することにより支承基板１３が吊りボルト１１の下端面に圧接固定される。また、通し穴３３を中心に上面にはベアリングボール１７，１７，・・を配列するための保持溝３５が穿設される。また、その内側において雌ねじ穴３８が形成され、各隅角には固定ボルト３７，３７，・・の通し穴３９，３９，・・が穿設される。
【００１６】
回転基板１５は、中央部に吊りボルト１１の挿入穴４１が穿設されている。また、裏面には、挿入穴４１を中心にベアリングボール１７，１７，・・の保持溝３６が前記保持溝３５と対において形成される。また、その内側には、挿入穴４１を中心に等間隔に浅穴４５，４５，・・が穿設され、これにより停止機構１６が装置される。
【００１７】
停止機構１６は、コイルスプリング４８の弾力で、支承基板１３側の突起４６を回転基板１５に付勢するもので、回転基板１５の浅穴４５に突起４６が落ち込むことにより、その都度回転が抑制される停止状態となり、この位相において回転基板１５が安定する。支承基板１３にコイルスプリング４８を装備するために、前記した雌ねじ穴３８に螺入する有頭ボルト４７が螺入され、その有頭ボルト４７のねじ部がコイルスプリング４８が納まる筒形となっている。有頭ボルト４７には調整ナット４９が螺着される。なお、突起４６にはコイルスプリング４８に挿入される軸５０が付いている。
【００１８】
回転基板１５には、各隅角に支承基板１３の通し穴３９，３９，・・に対応してねじ穴４０，４０，・・が形成されている。そこで、固定ボルト３７，３７，・・を通し穴３９，３９，・・からねじ穴４０，４０，・・に螺入することにより、回転基板１５が回転不能に固定される。常時この状態で上の回転棚８が固定されているが、骨壺９を整理するときなど必要な時に、固定ボルト３７，３７，・・を外して、回転基板１５とともに回転棚８が回され、突起４６と浅穴４５とが合致する位相において骨壺９の整理等の作業がなされる。
【００１９】
また、この実施形態では、床面となる根太石３に地面４８を出すために穴４７を穿設し、蓋４９が被せられる。
【図面の簡単な説明】
【００２０】
【図１】この発明の実施形態を墓が一部切欠されて示す斜視図である。
【図２】同実施形態における回転棚装置の要部分解斜視図である。
【図３】同実施形態における回転棚装置の断面図である。
【図４】同装置の要部を拡大して示す断面図である。
【図５】図４のＡ部の拡大断面図である。
【図６】従来例の説明図である。
【符号の説明】
【００２１】
Ｔ  納骨堂における回転棚装置
Ｇ  墓
１  納骨堂
２  納骨室
５  天井となる笠石
８  回転棚
１１  吊りボルト
１３  支承基板
１５  回転基板
１６  停止機構
３７  固定手段に用いられる固定ボルト
４５  浅穴
４６  突起
４８  ばねとしてのコイルスプリング
【図１】
2006257702.tif 000003
【図２】
2006257702.tif 000004
【図３】
2006257702.tif 000005
【図４】
2006257702.tif 000006
【図５】
2006257702.tif 000007
【図６】
2006257702.tif 000008